(57)【要約】【課題】照明灯などのポールを地面に設置するに際して施工が容易で短時間で済み、高さ調整を容易であるような新規な基礎構造を提供する。【解決手段】ポール１３の下部にブラケット２６を取り付けた状態で基礎部材１１の中空部１２に挿入し、ポール高さ調整用コンクリートブロック１５上に支持させた後、地面側の開口から手を入れて上部固定用ボルト２３を回転させてポール上部を固定する。この時点でポールは直立状態に保持されており、その後、基礎部材の中空部の隙間にコンクリート１４を注入して硬化させることによりポールは完全に固定される。ポール高さ調整用コンクリートブロックの上面にポール下端を嵌合するための凹部を形成しておけば、この凹部でポール下端が位置決めされるので、ブラケット２６を使用する必要がなくなる。【選択図】図１
0003130175.tif 000002
【実用新案登録請求の範囲】
【請求項１】
地中に埋設固定される基礎部材の中空部にポールの下端部を挿入して隙間を打設コンクリートで埋めて固定するポール基礎構造において、基礎部材の中空部に挿入されたポールの異なる２箇所の高さ位置にポール上部位置決め手段およびポール下部位置決め手段を設けて該ポールの位置決めを行うように構成されたことを特徴とするポール基礎構造。
【請求項２】
ポール上部位置決め手段が、基礎部材の上端近くの高さ位置において中空部に開口して設けられる複数の雌ナット部材と、これら雌ナット部材に各々螺着されて中空部に突出するポール上部固定用ボルトとからなり、基礎部材の中空部の地面開口から手を入れてポール上部固定用ボルトを所定方向に回転させて中空部への突出長を増大させることによりポール上部を固定可能としたことを特徴とする、請求項１記載のポール基礎構造。
【請求項３】
ポール下部位置決め手段が、基礎部材の中空部の内寸および内形状と略同一の外寸および外形状を有するポール下部固定用ブラケットと、このポール下部固定用ブラケットから内方に向けて突出する複数の進退自在の突出手段とからなり、これらの突出手段を介してポール下部にポール下部固定用ブラケットを芯出し固定した状態で該ポールが基礎部材の中空部に挿入されることを特徴とする、請求項１または２記載のポール基礎構造。
【請求項４】
基礎部材の中空部の下方に適宜高さ寸法のポール高さ調整用コンクリートブロックを収容配置し、このポール高さ調整用コンクリートブロック上にポールの下端を支持することによってポールの高さ調整を行うことを特徴とする、請求項１ないし３のいずれか記載のポール基礎構造。
【請求項５】
基礎部材の下端にコンクリートブロック固定用ブラケットが固定され、このコンクリートブロック固定用ブラケットにポール高さ位置決め用コンクリートブロックが固定されることを特徴とする、請求項４記載のポール基礎構造。
【請求項６】
前記ポール高さ調整用コンクリートブロックの上端中央にポールの下端を嵌合収容するための凹部を形成し、この凹部が前記ポール下部位置決め手段として働くことを特徴とする、請求項４または５記載のポール基礎構造。
【請求項７】
前記ポール高さ調整用コンクリートブロックの外周面から突出する複数の突出部材を進退自在に設け、これら突出部材の突出長を調整することによりポール高さ調整用コンクリートブロックを基礎部材の中空部内で位置決め固定することを特徴とする、請求項４ないし６のいずれか記載のポール基礎構造。
【考案の詳細な説明】
【技術分野】
【０００１】
本考案は地面に照明灯などのポールを設置するための基礎構造に関する。
【背景技術】
【０００２】
従来のポール基礎構造は、たとえば下記特許文献１に示されるように、ポールを挿通させるための中空部を有する管状の基礎部材を用い、この基礎部材を地中に埋設固定した後、その中空部に砂や砂利などを入れて適宜高さ調整を行った上で、該中空部に照明灯などのポールの下端部を挿入し、隙間を打設コンクリートで埋めて該ポール下端部を固定することによって施工している。
【特許文献１】特開平０９−０７８６０８号公報
【考案の開示】
【考案が解決しようとする課題】
【０００３】
しかしながら、このような従来のポール基礎構造は、基礎部材の中空部にポール下端部を挿入した状態でこれらの間の隙間にコンクリートを注入した後、該コンクリートが硬化するまではポールが固定されないため、固定されるまでポールの傾動を付勢で直立状態に維持しなければならず、施工が面倒で長時間を要するという課題があった。
【０００４】
また、基礎部材の中空部に砂や砂利を入れることによってポールの高さ調整を行っているが、厳密な高さ調整を行うことが困難であり、また、このことも施工を複雑にし長時間を要するものとする一因となっていた。
【０００５】
そこで、本考案の課題は、照明灯などのポールを地面に設置するに際して施工が容易で短時間で済み、高さ調整を容易であるような新規な基礎構造を提供することにある。
【課題を解決するための手段】
【０００６】
この課題を解決するため、請求項１に係る本考案は、地中に埋設固定される基礎部材の中空部にポールの下端部を挿入して隙間を打設コンクリートで埋めて固定するポール基礎構造において、基礎部材の中空部に挿入されたポールの異なる２箇所の高さ位置にポール上部位置決め手段およびポール下部位置決め手段を設けて該ポールの位置決めを行うように構成されたことを特徴とするポール基礎構造である。
【０００７】
請求項２に係る本考案は、請求項１記載のポール基礎構造において、ポール上部位置決め手段が、基礎部材の上端近くの高さ位置において中空部に開口して設けられる複数の雌ナット部材と、これら雌ナット部材に各々螺着されて中空部に突出するポール上部固定用ボルトとからなり、基礎部材の中空部の地面開口から手を入れてポール上部固定用ボルトを所定方向に回転させて中空部への突出長を増大させることによりポール上部を固定可能としたことを特徴とする。
【０００８】
請求項３に係る本考案は、請求項１または２記載のポール基礎構造において、ポール下部位置決め手段が、基礎部材の中空部の内寸および内形状と略同一の外寸および外形状を有するポール下部固定用ブラケットと、このポール下部固定用ブラケットから内方に向けて突出する複数の進退自在の突出手段とからなり、これらの突出手段を介してポール下部にポール下部固定用ブラケットを芯出し固定した状態で該ポールが基礎部材の中空部に挿入されることを特徴とする。
【０００９】
請求項４に係る本考案は、請求項１ないし３のいずれか記載のポール基礎構造において、基礎部材の中空部の下方に適宜高さ寸法のポール高さ調整用コンクリートブロックを収容配置し、このポール高さ調整用コンクリートブロック上にポールの下端を支持することによってポールの高さ調整を行うことを特徴とする。
【００１０】
請求項５に係る本考案は、請求項４記載のポール基礎構造において、基礎部材の下端にコンクリートブロック固定用ブラケットが固定され、このコンクリートブロック固定用ブラケットにポール高さ位置決め用コンクリートブロックが固定されることを特徴とする。
【００１１】
請求項６に係る本考案は、請求項４または５記載のポール基礎構造において、前記ポール高さ調整用コンクリートブロックの上端中央にポールの下端を嵌合収容するための凹部を形成し、この凹部が前記ポール下部位置決め手段として働くことを特徴とする。
【００１２】
請求項７に係る本考案は、請求項４ないし６のいずれか記載のポール基礎構造において、前記ポール高さ調整用コンクリートブロックの外周面から突出する複数の突出部材を進退自在に設け、これら突出部材の突出長を調整することによりポール高さ調整用コンクリートブロックを基礎部材の中空部内で位置決め固定することを特徴とする。
【考案の効果】
【００１３】
請求項１に係る本考案によれば、基礎部材の中空部に挿入されたポールを高さの異なる２箇所でポール上部位置決め手段およびポール下部位置決め手段により位置決めを行うため、その後に基礎部材の中空部に注入されるコンクリートの硬化を待たずに、この時点でポールが直立状態などに固定される。したがって、施工が容易となり、短時間で完了させることができる。
【００１４】
請求項２に係る本考案によれば、ポール上部位置決め手段が基礎部材の上端近くの高さ位置に設けられ、基礎部材の中空部の地面開口から手を入れてポール上部固定用ボルトを所定方向に回転させて中空部の中心に向けて突出させることによりポール上部を固定することができるので、ポール固定作業を容易に行うことができる。
【００１５】
請求項３に係る本考案によれば、ポール下部位置決め手段をポール下部にあらかじめセットした状態でポールを基礎部材の中空部に挿入することによってポール下部を固定することができるので、ポール固定作業を容易に行うことができる。
【００１６】
請求項４に係る本考案によれば、基礎部材の中空部にあらかじめ高さ調整用コンクリートブロックを収容してその上にポールの下端を支持させるので、この高さ調整用コンクリートブロックの高さ寸法を調整することによってポールの高さ調整を容易に行うことができる。
【００１７】
請求項５に係る本考案によれば、基礎部材の下端に固定したコンクリートブロック固定用ブラケットに対して高さ調整用コンクリートブロックが固定されるので、高さ調整用コンクリートブロックの位置が基礎部材に対して厳密に固定され、したがってポールの高さ調整を厳密に行うことができる。
【００１８】
請求項６に係る本考案によれば、ポール高さ調整用コンクリートブロックの上端にポールの下端を嵌合収容するための凹部を形成し、この凹部をポール下部位置決め手段として機能させるので、ポールをしっかり固定しながらも構成を簡略化してコストダウンを図ることができる。
【００１９】
請求項７に係る本考案によれば、ポール高さ調整用コンクリートブロックの外周面から突出する複数の突出部材を進退自在に設け、これら突出部材の突出長を調整することによりポール高さ調整用コンクリートブロックを基礎部材の中空部内で位置決め固定するので、中空部の大きさに応じて各種のポール高さ調整用コンクリートブロックを用意しておく必要がなく、一または数種類の外径のポール高さ調整用コンクリートブロックを各種の大きさの中空部を有する基礎部材に兼用して収容し固定することができる。
【考案を実施するための最良の形態】
【００２０】
本考案の一実施形態による照明灯ポールの基礎構造について、図１ないし図４を参照して説明する。この基礎構造は、地盤１０に埋設固定される基礎部材１１の中空部１２にポール１３の下端部を挿入して隙間を打設コンクリート１４で埋めることで、ポール１３を固定する構造である。
【００２１】
基礎部材１１は角型の筒状体であり、設置しようとするポール１３の外径より十分に大きい寸法の中空部１２を有する。この実施形態では１００ｍｍ径のポール１３を設置するための基礎部材１１として、２００ｍｍ×２００ｍｍの断面正方形状の中空部１２を備え、外寸が４００ｍｍ×４００ｍｍのものが使用されている。
【００２２】
基礎部材１１の中空部１２の下方域には、ポール高さ調整用コンクリートブロック１５が収容され、コンクリートブロック固定用ブラケット１６で基礎部材１１の下端に固定されている。ポール高さ調整用コンクリートブロック１５は、その上にポール１３の下端を載置支持し、したがってポール１３の高さを調整して位置決めするためのものである。
【００２３】
ポール高さ調整用コンクリートブロック１５は、中空部１２の大きさ（内寸）および形状に応じた外寸および外形状を有するものとして多数種類用意しておいても良いが、図１に示すように、その外周面から進退自在に突出するインサート３３を数ヶ所、たとえば９０°間隔で４箇所に設置しておくことにより、一種類または少ない種類のポール高さ調整用コンクリートブロック１５を各種の大きさおよび形状の中空部１２に適用して位置決め固定可能となるので、コストダウンを図ることができる。ただし、高さ寸法については異なる数種類のポール高さ調整用コンクリートブロック１５を用意しておいて、ポール１３の設置高さに応じて選択可能としておく。たとえば、５０ｍｍ刻みで１００ｍｍ〜１０００ｍｍの高さ寸法のポール高さ調整用コンクリートブロック１５を用意しておき、設置すべきポール１３の高さに応じてその一を選択して基礎部材１１の中空部１２の下方域に収容する。
【００２４】
基礎部材１１の下端には、中空部１２の下端開口を挟んで両側に一対の凹部１７，１７が形成されており、且つ、これら凹部にはアンカーボルト１８，１８が埋設固定されていてそれらの先端が下方に向けて突出している。また、ポール高さ調整用コンクリートブロック１５の下端にも一つの凹部１９が形成されており、且つ、この凹部１９内の２箇所にアンカーボルト２０，２０が埋設固定されていてそれらの先端が下方に向けて突出している。ポール高さ調整用コンクリートブロック１５を基礎部材１１の中空部１２の下方域に収容させたとき、基礎部材１１の下端凹部１７，１７とポール高さ調整用コンクリートブロック１５の下端凹部１９とは整列して一直線状の凹溝となり、この凹溝に、アンカーボルト１８，１８，２０，２０位置に応じて４箇所にボルト穴が形成された細長板状のコンクリートブロック固定用ブラケット１６を嵌め込んで、ナット２１で固定する。これにより、基礎部材１１の中空部１２の下方域に収容されたポール高さ調整用コンクリートブロック１５が、コンクリートブロック固定用ブラケット１６を介して、基礎部材１１の下端に固定される。
【００２５】
なお、凹部１７，１９の凹み高さについては、コンクリートブロック固定用ブラケット１６の板厚とナット２１の厚みを考慮して、上記のようにしてナット２１でブラケット１６を固定したときにナット２１の下面が基礎部材１１の下面から下方に突出しないように設定されている。
【００２６】
基礎部材１１の上端近くには四周の内側面から雌ナット部材２２が埋設固定されており、雌ナット部材２２には各々ポール上部固定用ボルト２３が螺着されている。各ボルト２３の先端は中空部１２に向けて突出し、且つ、その突出長をボルト２３を回転させることにより調節可能とされている。各ボルト２３の先端には袋ナット２４が固着されていて、これらでポール上部位置決め手段２５を構成している。
【００２７】
ポール１３の下端近くにはポール下部固定用ブラケット２６が取り付けられている。ポール下部固定用ブラケット２６は、基礎部材１１の中空部１２の内寸および内形状と略同一の外寸および外形状を有する（この実施形態では中空部１２への挿入作業を容易にするために中空部１２より若干小さく、１９６ｍｍ×１９６ｍｍの角パイプ状とされ且つ四隅には面取りが施されている）。ポール下部固定用ブラケット２６の四周面には各々穴２７が設けられると共にこれと整列して内側面にナット２８が固着され、ナット２８には、先端に袋ナット２９が固着されたポール下部固定用ボルト３０が進退自在に螺着されている。ナット２８に螺着されたボルト３０を所定方向に回転させることによりボルト３０の突出長を大きくして、ポール１３の下部を４箇所で同心状にしっかり保持する。ポール下部固定用ブラケット２６およびその付属部品２７〜３０でポール下部位置決め手段３１を構成している。
【００２８】
この照明灯ポール基礎構造の施工について説明すると、まず、ポール１３の設置高さに応じて適宜高さ寸法を有する一のポール高さ調整用コンクリートブロック１５を選択し、これを基礎部材１１の中空部１２に挿入し、コンクリートブロック固定用ブラケット１６で基礎部材１１に固定する。これにより、ポール高さ調整用コンクリートブロック１５は、基礎部材１１を地盤１０に埋設したときに中空部１２の下方域に位置するように収容され固定される。
【００２９】
このようにしてポール高さ調整用コンクリートブロック１５が中空部１２の下方域に収容固定された基礎部材１１を地盤１０に埋設し、打設コンクリートなどで固定する。このとき、基礎部材１１の上端は地面ＧＬと略面一となるようにし、したがって中空部１２も地面ＧＬと略同一の高さ位置で開口している。また、基礎部材１１の上端近くで雌ナット部材２２に螺着されているポール上部固定用ボルト２３は、その突出長を比較的小さくしておいて、ポール挿入に際して先端の袋ナット２４が干渉しないようにしておく。
【００３０】
一方、ポール１３の下端近くにはあらかじめポール下部固定用ブラケット２６を取り付けておく。この取付は、ナット２８に螺着されているボルト３０を所定方向に回転させて、ブラケット２６の四周内側面からボルト３０を突出させ、その先端の袋ナット２９をポール１３下部の外周面に押し当てることによって行うものであり、４つのボルト３０を均等に突出させてポール１３をクランプすることによって同時に芯出しが行われる。
【００３１】
このようにして下部にポール下部固定用ブラケット２６が取り付けられた状態のポール１３を、地面ＧＬで開口している基礎部材１１の中空部１２から挿入する。ポール１３の下端近くにはポール下部固定用ブラケット２６が取り付けられているが、このブラケット２６の外寸は中空部１２よりも若干小さく形成されているので、比較的容易に挿入することができる。ポール１３は、その下端が、あらかじめ中空部１２の下方域に挿入固定されているポール高さ調整用コンクリートブロック１５の上面に当接するまで挿入される。
【００３２】
このようにしてポール上部固定用ボルト１５上に支持された状態で中空部１２に挿入されたポール１３に対して、その挿入部分の上部（地面ＧＬに近い部分）をポール上部位置決め手段２５によって固定する。この固定は、地面ＧＬから中空部１２内に手を差し込み、４つのポール上部固定用ボルト２３をそれぞれ所定方向に手で回して突出長を大きくし、それらの先端の袋ナット２４をポール１３の外周面に押し当てることによって行うものであり、４つのボルト２３を均等に突出させてポール１３をクランプすることによって同時に芯出しが行われる。
【００３３】
この状態で、ポール１３は、その設置高さに応じて選択された高さ調整用コンクリートブロック１５上に支持されているので高さ調整が既に完了している。また、この支持状態において、基礎部材１１の中空部１２に挿入された部分のうち高さの異なる２つの位置で、ポール上部位置決め手段２５およびポール下部位置決め手段３１によって直立状態にしっかりと固定されている。ポール下部位置決め手段３１にあっては、ポール下部固定用ブラケット２６が中空部１２よりわずかに小さい外寸を有するものの、一旦挿入されればほとんどぐらつきのない状態で嵌合されている。ポール上部位置決め手段２５は地面ＧＬに開口する中空部１２から手を入れて容易に操作可能であるので、ポール１３を直立状態に維持しまたは修正することも容易である。
【００３４】
このようにしてポール１３を直立状態で固定した後、中空部１２にコンクリート１４を注入する。注入されたコンクリート１４は、中空部１２とポール１３との隙間に入り込んで硬化し、ポール１３を長期に亘って不動に保持する。また、硬化したコンクリート１４は、同時に、ポール上部位置決め手段２５およびポール下部位置決め手段３１を基礎部材１１およびポール１３と共に一体化させるので、これら位置決め手段によって確保されたポール直立状態をそのまま長期に亘って維持する。さらに、注入されたコンクリートはポール下部固定用ブラケット２６の内部を通って下方域に移動するので、ポール高さ調整用コンクリートブロック１５をも一体化させる。
【００３５】
以上に説明した実施形態では、ポール１３の下部をポール下部固定用ボルト３０を主体とするポール下部位置決め手段３１で固定することとしているが、これに代えて、図５に示すように、ポール高さ調整用コンクリートブロック１５の上面中央に、ポール１３の断面形状と同一で同寸法の凹部３２を形成しておき、これにポール１３の下端を嵌合収容することで位置決め固定する構成を採用しても良い。この場合は、凹部３２がポール下部位置決め手段として機能することになる。
【００３６】
図５の実施形態において、上記以外は既述実施形態と略同一であるので、同一の符号を付すに止め、それらについての説明は省略する。
【００３７】
本考案について幾つかの実施形態を示して説明したが、本考案はこれら実施形態に限定されるものではなく、実用新案登録請求の範囲によって規定される考案の範囲内において様々な変形態様を取り得る。本考案は、照明灯ポール用の基礎だけでなく、標識や信号その他各種のポール用の基礎にも適用可能である。また、円形のポールだけでなく、角形のポール用の基礎にも適用可能である。また、既述の実施形態ではポールを直立状態に設置することとしたが、必要に応じて傾斜させた状態に設置することも可能である。
【図面の簡単な説明】
【００３８】
【図１】本考案の一実施形態による照明灯ポールの基礎構造を示す施工状態図である。
【図２】図１中Ａ−Ａ断面図である。
【図３】図１中Ｂ−Ｂ断面図である。
【図４】図１の基礎構造における基礎部材の底面図である。
【図５】本考案の別の実施形態による照明灯ポールの基礎構造を示す施工状態図である。
【符号の説明】
【００３９】
１０  地面
１１  基礎部材
１２  中空部
１３  ポール
１４  打設コンクリート
１５  ポール高さ調整用コンクリートブロック
１６  コンクリートブロック固定用ブラケット
１７  基礎部材下端の凹部
１８  アンカーボルト
１９  ポール高さ調整用コンクリートブロック下端の凹部
２０  アンカーボルト
２１  ナット
２２  雌ナット部材
２３  ポール上部固定用ボルト
２４  袋ナット
２５  ポール上部位置決め手段
２６  ポール下部位置決め固定用ブラケット
２７  穴
２８  ナット
２９  袋ナット
３０  ポール下部固定用ボルト
３１  ポール下部位置決め手段
３２  凹部
【図１】
0003130175.tif 000003
【図２】
0003130175.tif 000004
【図３】
0003130175.tif 000005
【図４】
0003130175.tif 000006
【図５】
0003130175.tif 000007